(57)【要約】【課題】不要ＡＣＦをＡＣＦテープから除去する際に、ＡＣＦが圧着ツールに付着することを防止する。【解決手段】異方性導電テープから不要異方性導電膜を除去するための除去平面を有する異方性導電膜除去部材を備える本体部と、異方性導電膜除去部材の除去平面上に配置されたテープ部材と、を備える。そして、除去平面に対向する受け部側平面を有し、該受け部側平面が除去平面に覆い重なる位置まで移動可能に、本体部に接続された圧着ツール受け部を備える。さらに、圧着ツール受け部を移動させて該圧着ツール受け部の受け部側平面を異方性導電膜除去部材上にあるテープ部材に押し付ける圧着ツールを備える。【選択図】図４
2012069862.tif 000002
【特許請求の範囲】
【請求項１】
異方性導電テープから不要異方性導電膜を除去するための除去平面を有する異方性導電膜除去部材を備える本体部と、
前記異方性導電膜除去部材の前記除去平面上に配置されたテープ部材と、
前記除去平面に対向する受け部側平面を有し、該受け部側平面が前記除去平面に覆い重なる位置まで移動可能に、前記本体部に接続された圧着ツール受け部と、
前記圧着ツール受け部を移動させて該圧着ツール受け部の受け部側平面を前記異方性導電膜除去部材上にある前記テープ部材に押し付ける圧着ツールと、を備える
異方性導電膜貼付装置。
【請求項２】
前記テープ部材を送り出す供給リールと、
前記供給リールから送り出された前記テープ部材を巻き取る巻き取りリールと、をさらに備え、
前記供給リールによる前記テープ部材の送り出しおよび前記巻き取りリールによる前記テープ部材の巻き取りは、異方性導電テープからの異方性導電膜の除去をきっかけに行われる
請求項１に記載の異方性導電膜貼付装置。
【請求項３】
前記異方性導電膜除去部材の前記除去平面に対向するように、前記テープ部材と前記圧着ツール受け部との間に配置される異方性導電テープを保持するテープ保持部をさらに備える
請求項１または２に記載の異方性導電膜貼付装置。
【請求項４】
前記本体部と前記圧着ツール受け部との前記接続は伸縮可能な支持部材で接続されている
請求項１〜３のいずれかに記載の異方性導電膜貼付装置。
【発明の詳細な説明】
【技術分野】
【０００１】
本発明は、フラットパネルディスプレイ（FPD:Flat Panel Display）の表示基板に電子部品を接着するための異方性導電膜を貼り付ける異方性導電膜貼付装置に関する。
【背景技術】
【０００２】
ＦＰＤとしては、例えば、液晶ディスプレイや有機ＥＬ（Electro-Luminescence）ディスプレイ、プラズマディスプレイなどがある。このＦＰＤにおける表示基板の周縁部には、駆動ＩＣの搭載や、ＣＯＦ（Chip on Film）、ＦＰＣ（Flexible Printed Circuit）などの電子部品のＴＡＢ（Tape Automated Bonding）接続が行われる。
【０００３】
電子部品を表示基板に実装する方法として、異方性導電膜（ＡＣＦ：Anisotropic Conductive Film）を用いる方法が知られている。ＡＣＦは粘着性を有するテープであって、これを表示基板の電極上に貼り付け、その上に電子部品を圧着ツールで圧着する方法である。
【０００４】
ＡＣＦは、供給リールに巻回されて取り扱われるが、ＡＣＦを供給リールに巻回するに当たっては、セパレータテープを間に介在させた異方性導電テープ（以下、「ＡＣＦ」テープという）を巻回させている。これは、ＡＣＦが粘着性を有するためである。
【０００５】
ＡＣＦを表示基板に貼り付けるときには、供給リールからＡＣＦテープが引き出され、ＡＣＦテープのＡＣＦのみに所定の一定間隔ごとに切れ込みが入れられる。そして、ＡＣＦテープは、ＡＣＦ側が表示基板面に向くように圧着ツールの圧着ヘッドにより当該表示基板に押し付けられる。これにより、切れ込みを入れられた部分でＡＣＦがセパレータテープから剥がれて表示基板に貼り付けられる。
【０００６】
ところで、使用済みの供給リールを新しい供給リールに交換した場合、装置の構成上ＡＣＦテープの先頭から最初の切り込みまでのＡＣＦ（以下、「不要ＡＣＦ」という）の長さが、上述した所定の一定間隔よりも長くなってしまう。そのため、ＡＣＦを表示基板に貼り付ける前に、この不要ＡＣＦをＡＣＦテープから除去する必要があった。
【０００７】
このため、従来のＡＣＦ貼付装置は、表示基板にＡＣＦを貼り付ける可動テーブルに、不要ＡＣＦを貼り付けるためのプレート状の捨て打ちステージを備えている。
【０００８】
以下、従来の異方性導電膜における不要ＡＣＦを除去する処理について図１０〜図１３を参照して説明する。
ＡＣＦテープ５０２の不要ＡＣＦ５０３部分が圧着ツール５０４の圧着ヘッド５０５直下に来ると、可動テーブル５０６が移動し、捨て打ちステージ５０７が圧着ヘッド５０５直下に位置するようになる（図１０を参照）。すると、圧着ツール５０４が降下され、圧着ヘッド５０５によりＡＣＦテープ５０２の不要ＡＣＦ５０３が捨て打ちステージ５０７に押し付けられる（図１１を参照）。そして、圧着ツール５０４が上昇すると、不要ＡＣＦ５０３のみが捨て打ちステージに貼り付けられ、ＡＣＦテープ５０２から不要ＡＣＦ５０３が除去される（図１２を参照）。
【０００９】
図１２に示した状態において、別の不要ＡＣＦ５０８をＡＣＦテープ５０２から除去する場合、可動テーブル５０６が再度移動し、捨て打ちステージ５０７の不要ＡＣＦ５０３が貼り付けられていない部分が圧着ヘッド５０５の直下に位置するようになる（図１３を参照）。そして、上述の図１１〜図１３で説明した処理が行われることにより、不要ＡＣＦ５０８が捨て打ちステージ５０７に貼り付けられる。このような不要ＡＣＦを除去する技術が記載された特許文献１を以下に示す。
【先行技術文献】
【特許文献】
【００１０】
【特許文献１】特開平１０−１７３３２１号公報
【発明の概要】
【発明が解決しようとする課題】
【００１１】
特許文献１に記載されたＡＣＦ貼付装置では、不要ＡＣＦを除去する際に、圧着ヘッドと捨て打ちステージが接触するようになっている。そのため、前回除去した不要ＡＣＦ（以下、「前回の不要ＡＣＦ」という）が捨て打ちステージに残っている場合には、不要ＡＣＦを再度除去するときに、前回の不要ＡＣＦが圧着ツールに付着する可能性がある。
【００１２】
また、捨て打ちステージの面積は物理的に限られているので、当該捨て打ちステージで不要ＡＣＦを除去できる回数も限られている。この結果、頻繁に捨て打ちステージを新しいものに交換しなければならない、という問題がある。
【００１３】
本発明はかかる点に鑑みてなされたものであり、不要ＡＣＦをＡＣＦテープから除去する際に、ＡＣＦが圧着ツールに付着することを防止することを目的とする。
【課題を解決するための手段】
【００１４】
上記課題を解決するため、本発明の異方性導電膜貼付装置は、異方性導電テープから不要異方性導電膜を除去するための除去平面を有する異方性導電膜除去部材を備える本体部と、異方性導電膜除去部材の除去平面上に配置されたテープ部材と、を備える。そして、除去平面に対向する受け部側平面を有し、該受け部側平面が除去平面に覆い重なる位置まで移動可能に、本体部に接続された圧着ツール受け部を備える。さらに、圧着ツール受け部を移動させて該圧着ツール受け部の受け部側平面を異方性導電膜除去部材上にあるテープ部材に押し付ける圧着ツールを備える。
【００１５】
上述した構成によれば、異方性導電膜除去部材上のテープ部材と圧着ツール受け部との間に異方性導電テープが配置された場合、受け部側平面が除去平面上のテープ部材に押し付けられるように圧着ツール受け部を移動させると、除去平面と受け部側平面で異方性導電テープとテープ部材とを挟み込むことができる。これにより、異方性導電膜がテープ部材に密着するので、異方性導電テープの異方性導電膜がテープ部材に張り付き、異方性導電膜を異方性導電テープから除去することができる。
【発明の効果】
【００１６】
本発明の異方性導電膜貼付装置によれば、異方性導電膜を異方性導電テープから除去する際に、圧着ツールをテープ部材に直接触れないようにすることができる。これにより、異方性導電膜を除去する際に、異方性導電膜が圧着ツールに付着することを防止することができる、という効果がある。
【図面の簡単な説明】
【００１７】
【図１】本発明の一実施形態に係るＡＣＦテープの構成を示す説明図である。
【図２】本発明の一実施形態に係るＡＣＦ貼付装置を示す正面図である。
【図３】本発明の一実施形態に係るＡＣＦ貼付装置の一部を示す部分側面図である。
【図４】本発明の一実施形態に係るＡＣＦ除去ユニットの一部を示す部分斜視図である。
【図５】本発明の一実施形態に係るＡＣＦ貼付装置の不要ＡＣＦ除去処理（その１）における動作を示す説明図である。
【図６】本発明の一実施形態に係るＡＣＦ貼付装置の不要ＡＣＦ除去処理（その２）における動作を示す説明図である。
【図７】本発明の一実施形態に係るＡＣＦ貼付装置の不要ＡＣＦ除去処理（その３）における動作を示す説明図である。
【図８】本発明の一実施形態に係るＡＣＦ貼付装置の不要ＡＣＦ除去処理（その４）における動作を示す説明図である。
【図９】本発明の一実施形態に係るＡＣＦ貼付装置の不要ＡＣＦ除去処理（その５）における動作を示す説明図である。
【図１０】従来のＡＣＦ貼付装置の不要ＡＣＦ除去処理（その１）における動作を示す説明図である。
【図１１】従来のＡＣＦ貼付装置の不要ＡＣＦ除去処理（その２）における動作を示す説明図である。
【図１２】従来のＡＣＦ貼付装置の不要ＡＣＦ除去処理（その３）における動作を示す説明図である。
【図１３】従来のＡＣＦ貼付装置の不要ＡＣＦ除去処理（その４）における動作を示す説明図である。
【発明を実施するための形態】
【００１８】
以下、本発明のＡＣＦ貼付装置の実施形態例（以下、「本例」ということもある）について、図１〜図９を参照して説明する。なお、各図において共通の部材には、同一の符号を付している。また、本発明は、以下の形態に限定されるものではない。
なお、説明は以下の順序で行う。
１．一実施の形態例
１−１．ＡＣＦ貼付装置の構成例
１−２．ＡＣＦ貼付装置の動作例
【００１９】
＜１．一実施の形態例＞
まず、ＡＣＦテープの構成について図１を参照して説明する。
図１は本発明の一実施形態に係るＡＣＦテープの構成を示す説明図である。
異方性導電膜（ＡＣＦ：Anisotropic Conductive Film）１ａは、熱硬化性樹脂に導電性を持つ微細な金属粒子を混ぜ合わせたものを、テープ状に成型したものである。このＡＣＦ１ａは、セパレータテープ１ｂに貼り付けられたＡＣＦテープ１の状態で供給リールに巻回されて取り扱われる。これは、当該ＡＣＦ１ａを供給リールに巻回された際に、粘着性を有するＡＣＦ１ａが互いにくっつかないようにするためである。
【００２０】
１−１．ＡＣＦ貼付装置の構成例
次に、ＡＣＦ貼付装置の構成について図２，３を参照して説明する。
図２は、本発明の一実施形態に係るＡＣＦ貼付装置を示す正面図である。
図３は、本発明の一実施形態に係るＡＣＦ貼付装置の一部を示す部分側面図である。
本例では、ＡＣＦ貼付装置１０を正面側から見たときの左右方向をｘ軸方向、ＡＣＦ貼付装置１０を側面側から見たときの左右方向をｙ軸方向、ｘ軸およびｙ軸に対する鉛直方向をｚ軸方向と定義する。
【００２１】
ＡＣＦ貼付装置１０は、大きく分けてＡＣＦ供給ユニット３０と、ＡＣＦ除去ユニット５０と、圧着ユニット７０とを備える。
【００２２】
ＡＣＦ供給ユニット３０は、本体フレーム３１を備えており、この本体フレーム３１には、ＡＣＦ供給リール３２と、ハーフカットユニット３３と、ガイドローラ３４〜４０と、クランプローラ４１と、テープ送りローラ４２とが配設されている。
【００２３】
ＡＣＦ供給リール３２には上述したようなＡＣＦテープ１が巻回されている。このＡＣＦテープ１は、圧着ユニット７０の後段にあるクランプローラ４１およびテープ送りローラ４２の間に挟まれており、モータ（不図示）で回転する送りローラの回転に応じた長さだけＡＣＦ供給リール３２から引き出される。引き出されたＡＣＦテープ１は、ガイドローラ３４〜４０により、所定の走行経路（以下、「ＡＣＦテープ走行経路」という）を通り、ＡＣＦ１ａ側がｚ軸のマイナス方向を向いた状態でハーフカットユニット３３、圧着ユニット７０に供給される。そして、圧着ユニット７０を通過したＡＣＦテープ１は、テープ送りローラ４２の後段に設けられたＡＣＦ巻き取りリール（不図示）に巻き取られる。
【００２４】
ハーフカットユニット３３は、ガイドローラ３９とガイドローラ４０との間のＡＣＦテープ走行経路上に設けられ、ＡＣＦテープ走行経路に対してｚ軸のマイナス方向側にあるカッタ４３と、ＡＣＦテープ走行経路に対してｚ軸のプラス方向側にあるテープ受け部４４とを備える。カッタ４３はシリンダ（不図示）によりｚ軸方向に駆動され、テープ受け４４に支持されたＡＣＦテープ１のＡＣＦ１ａのみに所定の間隔でｙ軸方向の切り欠きを入れる。
【００２５】
圧着ユニット７０は、ハーフカットユニット３３の後段のＡＣＦテープ走行路上に設けられ、ＡＣＦテープ走行経路に対してｚ軸のプラス方向側にある圧着ツール７１と、ＡＣＦテープ走行経路に対してｙ軸のマイナス方向側にあるバックアップ７２（図３を参照）とを備える。
【００２６】
この圧着ユニット７０は、通常、表示基板（不図示）に、ハーフカットユニット３３を経由して供給されるＡＣＦテープ１のＡＣＦ１ａの２つの切り欠きの間にある部分（以下、「所定長ＡＣＦ」という）を表示基板に貼り付ける。具体的には、ＡＣＦテープ１の切り欠き部分が圧着ツール７１のｘ軸のマイナス方向側のエッジに一致したときに、圧着ツール７１がｚ軸のマイナス方向に降下することで、バックアップツールによって支持された表示基板（不図示）に所定長ＡＣＦが貼り付けられる。
【００２７】
ところで、ＡＣＦ供給リール３２が新しいものである場合には、ＡＣＦ貼付装置１０の構成上、ＡＣＦテープ１の先頭から最初の切り欠きまでのＡＣＦ１ａ（以下、「不要ＡＣＦ」という）の長さは、所定長ＡＣＦの長さと異なるので、不要ＡＣＦを表示基板に貼り付けることは好ましくない。
【００２８】
ＡＣＦ除去ユニット５０は、このような不要ＡＣＦをＡＣＦテープ１から除去するものである。このＡＣＦ除去ユニット５０は、ＡＣＦ供給リール３２が新しいものである場合、圧着ツール７１直下のＡＣＦテープ走行経路上に移動する。これにより、不要ＡＣＦがＡＣＦ除去ユニット５０に供給される。そして、ＡＣＦ除去ユニット５０は、後述する除去テープ２に不要ＡＣＦを貼り付けて、ＡＣＦテープ１から不要ＡＣＦを除去する。なお、ＡＣＦ除去ユニット５０の詳細な構成については後述する。
【００２９】
次に、ＡＣＦ除去ユニット５０の詳細な構成について図３，４を参照して説明する。
図３は、本発明の一実施形態に係るＡＣＦ除去ユニットを中心とした部分側面図である。
図４は、本発明の一実施形態に係るＡＣＦ除去ユニットの一部を示す部分斜視図である。
【００３０】
ＡＣＦ除去ユニット５０は、本体フレーム５１を備えており、この本体フレーム５１には、除去テープ供給リール５２と、ガイドローラ５３〜５８と、除去テープ巻き取りリール５９と、把持体６０とが配設される。
【００３１】
除去テープ供給リール５２には、養生テープなどテープ部材に相当する除去テープ２が巻回されている。除去テープ供給リール５２から引き出された除去テープ２は、ガイドローラ５３〜５８により、所定の走行経路（以下、「除去テープ走行経路」という）を通り、除去テープ２の粘着面側がｚ軸のプラス方向を向いた状態で把持体６０に導かれる。そして、把持体６０を通過した除去テープは除去テープ巻き取りリールに巻き取られる。
【００３２】
図４に示すように、把持体６０は、大きく分けて、本体部６１と、圧着ツール受け部６２と、テープ保持部６３とを備える。
【００３３】
まず、本体部６１について説明する。
本体部６１は、略直方体状に形成された土台６７を備えている。この土台６７は、ｘ−ｙ平面に対して平行な土台上面６７ａと、ｘ−ｚ平面に対して平行な土台側面６７ｂとを有している。
【００３４】
土台上面６７ａのｘ軸方向の両端には、円形の孔９１がそれぞれ開口されている。これらの孔９１はｚ軸方向に軸を有する。各孔９１には支軸８１の一端部と、支軸８１をｚ軸方向に移動可能とするスライドブッシュ８６がそれぞれ収納されている。各支軸８１の土台上面６７ａから突出する他端部分にはコイルバネ８２がそれぞれ巻かれており、各支軸８１の他端は圧着ツール受け部６２に固定されている。
【００３５】
また、土台側面６７ｂにおけるｘ軸方向の両端部には、ｙ軸のマイナス方向に突出する２つのアーム片６４が設けられている。これらのアーム片６４は、略直方体状に形成されており、ｘ−ｙ平面に対して平行なアーム片上面６４ａを有している。
【００３６】
各アーム片６４のアーム片上面６４ａには、ｚ軸方向に軸を有する支軸８３の一端がそれぞれ固定されている。そして、これら支軸８３の他端は、テープ保持部６３に内蔵されたスライドブッシュ（不図示）にそれぞれ接続されている。
【００３７】
また、土台側面６７ｂのｚ軸のプラス方向側の端部中央には、ｙ軸のマイナス方向に伸びる平面片６５が設けられている。この平面片６５は、略板状に形成されており、その両面はｘ−ｙ平面に対して平行である。本例では、これら両面のうちｚ軸のプラス方向側の面を平面片上面６５ａとする。
【００３８】
平面片上面６５ａには、異方性導電膜除去部材に相当する突起６６が設けられている。この突起６６は、ｘ−ｙ平面に対して平行な突起面６６ａを有する。この突起面６６ａのｘ軸方向の長さは除去テープ２の幅にほぼ等しく、ｙ軸方向の長さはＡＣＦテープ１の幅にほぼ等しい。なお、上述した除去テープ走行経路は、突起６６の突起面６６ａのｘ軸方向の両端と除去テープ２の両端が常に重なるようにガイドローラ５３〜５８によって設定されている。
【００３９】
次に、テープ保持部６３について説明する。
テープ保持部６３は、一部が切り欠かれた略直方体状に形成されている。このテープ保持部６３はｘ−ｙ平面に平行な面を３つ有している。本例では、これら３つの面のうちｚ軸の最もプラス側にある面をテープ保持部上面６３ａとし、ｚ軸の最もマイナス側にある面をテープ保持部底面６３ｂとする。
【００４０】
テープ保持部６３のテープ保持部底面６３ｂには、ｚ軸方向に軸を有する円形の孔（不図示）が開口されている。そして、この孔には支軸８３の他端部と、この支軸８３をｚ軸方向に移動可能とするためのスライドブッシュ（不図示）が収納されている。つまり、テープ保持部６３は、支軸８３とスライドブッシュ（不図示）によって支持されており、テープ保持部上面６３ａの長手方向がｙ軸方向と平行な状態に保たれている。また、テープ保持部底面６３ｂとアーム片上面６４ａの間には、支軸８３の中間部に巻かれたコイルバネ８４が配置されている。
【００４１】
また、テープ保持部上面６３aには、凹部８５が形成されている。凹部８５のｙ軸方向の長さは、当該凹部８５上に置かれたＡＣＦテープ１がｙ軸方向に動かないようにするため、ＡＣＦテープ１の幅とほぼ等しい。そして、凹部８５のｙ軸方向の位置は、突起６６のｙ軸方向の位置に等しい。
【００４２】
次に、圧着ツール受け部６２について説明する。
圧着ツール受け部６２は略板状に形成されており、圧着ツール受け部６２の両面はｘ−ｙ平面に対して平行である。圧着ツール受け部６２のｘ軸方向に平行な各辺の長さは土台上面６７ａのｘ軸方向の長さとほぼ等しく、ｙ軸方向に平行な各辺の長さは土台上面６７ａおよび平面片上面６５ａそれぞれのｙ軸方向の長さの和とほぼ等しい。本例では、圧着ツール受け部６２の両面のうちｚ軸のプラス側にある面を圧着ツール受け部上面６２aとし、ｚ軸のマイナス側にある面を圧着ツール受け部底面６２ｂとする。
【００４３】
圧着ツール受け部６２は、圧着ツール受け部底面６２ｂが各テープ保持部上面６３aおよび突起面６６ａと対向するように配置されている。これらの各面の位置関係は、ｚ軸のプラス方向側から順に、圧着ツール受け部底面６２ｂ、テープ保持部上面６３ａ、突起面６６ａとなっている。
【００４４】
圧着ツール受け部底面６２ｂのｙ軸のプラス方向側の２つの角部には、支軸８１の他端がそれぞれ固定されている。そのため、各支軸８１がｚ軸方向に移動すると、これら支軸８１とともに圧着ツール受け部６２もｚ軸方向に平行移動する。
【００４５】
１−２．ＡＣＦ貼付装置の動作例
次に、図５〜図９に基づいて、ＡＣＦ貼付装置の不要ＡＣＦ除去処理における動作について説明する。
図５に示すようにＡＣＦテープ１の不要ＡＣＦ１ａが圧着ツール７１の直下に来たとする。すると、図６に示すように、ＡＣＦ除去ユニット５０は、不要ＡＣＦ１ａが突起６６（図４を参照）の真上に来るまでｙ軸のマイナス方向に移動する。
【００４６】
次に、ＡＣＦ除去ユニット５０は、ｚ軸のプラス方向に上昇する。そして、圧着ツール受け部６２の圧着ツール受け部上面６２aが圧着ツール７１の圧着ヘッド７１ａでｚ軸のマイナス方向に押され、圧着ツール受け部６２の圧着ツール受け部底面６２ｂとテープ保持部６３のテープ保持部上面６３aとが接触する。このとき、ＡＣＦテープは、圧着ツール受け部底面６２ｂでｚ軸のマイナス方向に押されて、テープ保持部６３（図４を参照）の凹部８５内を通過するようになる。
【００４７】
ＡＣＦ除去ユニット５０がさらにｚ軸のプラス方向に上昇すると、圧着ツール受け部６２およびテープ保持部６３とが共にｚ軸のマイナス方向に押される。そして、図７に示すように、圧着ツール受け部６２の圧着ツール底面６２ｂによりＡＣＦテープ１の不要ＡＣＦ１ａが突起６６（図４を参照）の突起面６６ａ上で除去テープ２に押し付けられ、不要ＡＣＦ１ａが除去テープ２と密着する。
【００４８】
続いて、ＡＣＦ除去ユニット５０は、ｚ軸のマイナス方向に下降する。すると、圧着ツール受け部６２およびテープ保持部６３は圧着ツール７１から力を受けなくなる。この結果、コイルバネ８２，８４のバネ力により、圧着ツール受け部６２およびテープ保持部６３はそれぞれ元の位置に戻る。ＡＣＦテープ１は圧着ツール受け部６２から力を受けなくなるので、その復元力により元の位置に戻る。このとき、ＡＣＦテープ１の不要ＡＣＦ１ａは、除去テープ２の粘着力により、セパレータテープ１ｂから剥がれ、突起６６（図４を参照）の突起面６６ａ上の除去テープ２に残る（図８を参照）。
【００４９】
以上の処理が完了した後、図９に示すように、ＡＣＦ除去ユニット５０の除去テープ供給リール５２および除去テープ巻き取りリール５９は、除去テープ２を所定量送り出す。これにより、不要ＡＣＦ１ａが残った除去テープ２を突起６６（図４を参照）の突起面６６ａ上から動かし、除去テープの不要ＡＣＦ１ａの付着していない部分を突起６６の突起面６６ａ上に持ってくることができる。なお、不要ＡＣＦを再度除去をする場合は、図５〜図９に示す処理を繰り返す。
【００５０】
以上説明したように、本発明の一実施形態によれば、不要ＡＣＦをＡＣＦテープから除去する際に、圧着ツールを除去テープに直接触れないようにすることができる。これにより、不要ＡＣＦを除去する際に、除去テープで除去されたＡＣＦが圧着ツールに付着することを防止することができる、という効果がある。
【００５１】
また、本発明の一実施形態によれば、不要ＡＣＦが残った除去テープを突起の突起面上から動かし、除去テープの不要ＡＣＦの付着していない部分を突起の突起面上に持ってくることができる。これにより、不要ＡＣＦを除去する際に、除去テープで除去されたＡＣＦが圧着ツールに付着することをより防止することができる。その上、除去テープの長さを長くすれば、その除去テープの交換頻度を少なくできる、という効果もある。
【００５２】
また、本発明の一実施形態によれば、ｙ軸方向の長さがＡＣＦテープの幅とほぼ等しいテープ保持部に設けた。そして、この凹部上にＡＣＦテープを配置すると、ＡＣＦテープが突起の突起面の真上に配置されるようにした。これにより、凹部上に置かれたＡＣＦテープがｙ軸方向に移動するのを防止することができる。この結果、突起の突起面上にある除去テープと、不要ＡＣＦテープとを確実に密着させることができる。
【符号の説明】
【００５３】
１…ＡＣＦテープ、２…除去テープ、１０…ＡＣＦ貼付装置、３０…ＡＣＦ供給ユニット、３１，５１…本体フレーム、３２…ＡＣＦ供給リール、３３…ハーフカットユニット、３４〜４０…ガイドローラ、４１…クランプローラ、４２…テープ送りローラ、４３…カッタ、４４…受け部、５０…ＡＣＦ除去ユニット、５２…除去テープ供給リール、５３〜５８…ガイドローラ、５９…除去テープ巻き取りリール、６０…把持体、６１…本体部、６２…圧着ツール受け部、６３…テープ保持部、６４…アーム片、６５…平面片、６６…突起、６７…土台、７０…圧着ユニット、７１…圧着ツール、７１ａ…圧着ヘッド、７２…バックアップ、８１…支軸、８２,８４…コイルバネ、８３…支軸、８５…凹部、８６…スライドブッシュ、５０２…ＡＣＦテープ、５０３…不要ＡＣＦ、５０４…圧着ツール、５０５…圧着ヘッド、５０６…可動テーブル、５０７…打ちステージ、５０８…不要ＡＣＦ
【図１】
2012069862.tif 000003
【図２】
2012069862.tif 000004
【図３】
2012069862.tif 000005
【図４】
2012069862.tif 000006
【図５】
2012069862.tif 000007
【図６】
2012069862.tif 000008
【図７】
2012069862.tif 000009
【図８】
2012069862.tif 000010
【図９】
2012069862.tif 000011
【図１０】
2012069862.tif 000012
【図１１】
2012069862.tif 000013
【図１２】
2012069862.tif 000014
【図１３】
2012069862.tif 000015